(57)【特許請求の範囲】
【請求項１】
光出射部を有する円筒状のライトガイドと、前記光出射部に前記ライトガイドの中心軸方向に沿って設けた配光角制御部材とを備え、前記配光角制御部材は、前記ライトガイドの周方向に対向する前記光出射部の両側位置で前記ライトガイドの外側に向けて立設されかつ先端が光出射部の中央部に近づくように傾斜して前記光出射部から出る光を反射する板状の反射部材である照明器具。
【請求項２】
前記ライトガイドの前記光出射部の開口角を略１２０度から略１８０度とした請求項１記載の照明器具。
【発明の詳細な説明】
【０００１】
【発明の属する技術分野】
この発明は、高欄照明器具等に適用できる、ライトガイドを有する照明器具に関するものである。
【０００２】
【従来の技術】
従来、図５（ａ）に示すように、標準のライトガイド３０の光出射部３５の開口角は、ベースライト照明としての配光、および長手方向の出射光量の均一性を考慮して、リフレクタ３１の開口角により略１２０°に設定している。３２はその配光である。
【０００３】
この標準ライトガイドは、狭角配光にする場合、光出射部３５のリフレタク３１の開口角の大きさを小さく変えて開口角を制御することで図５（ｂ）のように狭角配光が実現できる。３３はこの場合の狭角配光である。
【０００４】
この狭角配光ライトガイドは、直下照度を重視する空間、例えば廊下照明など狭い空間で直下を有効に照射する場合や植物工場、高欄照明などの道路照明、美術館・博物館などのウォールウォッシャ照明などに有効である。
【０００５】
【発明が解決しようとする課題】
しかし、この狭角配光では開口面積が小さいため効率が非常に悪くなる。このため、狭角配光ライトガイドで出射光量を上げたい場合、高欄照明で路面の輝度を確保したい場合、トンネル照明、道路標識灯、サイン照明などの用途に適用しにくくなる。
【０００６】
したがって、この発明の目的は、効率良く狭角配光でき、出射光量の増大が可能な照明器具を提供することである。
【０００７】
【課題を解決するための手段】
請求項１記載の照明器具は、光出射部を有する円筒状のライトガイドと、前記光出射部に前記ライトガイドの中心軸方向に沿って設けた配光角制御部材とを備え、前記配光角制御部材は、前記ライトガイドの周方向に対向する前記光出射部の両側位置で前記ライトガイドの外側に向けて立設されかつ先端が光出射部の中央部に近づくように傾斜して前記光出射部から出る光を反射する板状の反射部材であるものである。
【０００８】
請求項１記載の照明器具によれば、配光角制御部材によりライトガイドの光出射部から出射する光方向が狭角となるように制御されるので、効率を落とさないで狭角配光が実現できる。
【０００９】
請求項２記載の照明器具は、請求項１において、前記ライトガイドの前記光出射部の開口角を略１２０度から略１８０度としたものである。
【００１０】
請求項２記載の照明器具によれば、請求項１と同様な効果のほか、開口面積が大きくできるため、出射光量の増大が可能であり、高効率化できる。
【００１１】
【発明の実施の形態】
この発明の第１の実施の形態を図１により説明する。すなわち、この照明器具は、円筒状のライトガイド１の光出射部２に、ライトガイド１の中心軸方向に沿って配光角制御部材３を設けている。
【００１２】
ライトガイド１は円筒状のチューブ１ａ内にリフレクタ１ｂを配置し、光出射部２としてリフレクタ１ｂに開口角αが略１２０°の開口を形成している。ライトガイド１の端部から入射した光はチューブ１ａ内を反射して軸方向に導かれ、リフレタク１ｂの開口となる光出射部２より外部に射出する。この構成は従来の標準ライトガイドの構成と同様である。
【００１３】
配光角制御部材３は光の方向を変える部材であり、実施の形態では鏡面の反射部材を用い、チューブ１ａの外面の光出射部２の両側位置に設けている。反射部材をライトガイド１へ設置する際の反射部材の鉛直軸Ｔとの設置角度βは図１（ｂ）のように配光制御したい狭角度と略同じにする。例えば、ビーム角２０度配光に制御する場合はβを略２０度とする。Ｌは光線である。
【００１４】
この実施の形態によれば、配光角制御部材３によりライトガイド１の光出射部２から出射する方向が狭角となるように制御されるので、良い効率で狭角配光が可能となる。また均一発光が標準長さ２０ｍの範囲で可能となる。
【００１５】
なお、反射部材の一部または全体をライトガイドの内側に設けてもよい。
【００１６】
この発明の第２の実施の形態を図２により説明する。すなわち、この照明器具は、第１の実施の形態において、配光制御部材３として反射部材をルーバ状に構成し、ライトガイド１の内面に設置している。この場合の反射部材のルーバを構成するルーバ片の鉛直軸との設置角度は第１の実施の形態と同様である。
【００１７】
この発明の第３の実施の形態を図３により説明する。すなわち、この照明器具は、第１の実施の形態において、配光制御部材３としてライトガイド１の光出射部２の内面または外面にシート状のルーバを設置している。このルーバシートは厚さ略１ｍｍのフィルムシート５内に、高反射率の微小な反射材６がルーバ形状をなすように所定間隔で多数傾斜して設置されているものである。したがって反射材６の傾斜により狭角配光を実現できる。
【００１８】
この発明の第４の実施の形態を図４により説明する。すなわち、この照明器具は、第１の実施の形態において、配光制御部材３としてライトガイド１の光出射部２の内面または外面にマイクロプリズムシートを設置している。マイクロプリズムシートは断面が図（ｂ）の三角形状や図（ｃ）のかまぼこ型形状に表面を形成した可撓なシートである。図（ｄ）に示すようにプリズムシートをプリズム方向が光軸とほぼ直交するようにライトガイド１の光出射部２の内面又は外面に設置する。プリズムのある面はライトガイド１に外向きに設置するのが望ましいが、内向きにしても効果はある。
【００１９】
他の実施の形態として、上記の各実施の形態のライトガイド１の例えばリフレクタ１ｂの開口角を大きくして、光出射部２の開口面積を大きくすることもできる。その範囲は標準ライトガイドよりも開口面積を大きくするため下限が略１２０度であり、上限は実施の形態のライトガイド１が下面発光制御のため略１８０度としている。これにより狭角配光を実現しながらさらに出射光束を増やすことができる。
【００２０】
【発明の効果】
請求項１記載の照明器具によれば、配光角制御部材によりライトガイドの光出射部から出射する光方向が狭角となるように制御されるので、効率を落とさないで狭角配光が実現できる。
【００２１】
請求項２記載の照明器具によれば、請求項１と同様な効果のほか、開口面積が大きくできるため、出射光量の増大が可能であり、高効率化できる。
【図面の簡単な説明】
【図１】（ａ）はこの発明の第１の実施の形態の概略断面図、（ｂ）はその出射光線を示す概略断面図である。
【図２】第２の実施の形態の概略断面図である。
【図３】（ａ）は第３の実施の形態の概略断面図、（ｂ）はルーバシートの概略断面図である。
【図４】（ａ）は第４の実施の形態の概略断面図、（ｂ）は三角形状のマイクロプリズムシートの斜視図、（ｃ）はかまぼこ型形状のマイクロプリズムシートの斜視図、マイクロプリズムシートを設置した状態のライトガイドの部分側面図である。
【図５】（ａ）は従来例の概略断面図、（ｂ）は狭角配光のリフレクタを構成した状態の概略断面図である。
【符号の説明】
１    ライトガイド
２    光出射部
３    配光角制御部材
【図１】
0003855699.tif 000002
【図２】
0003855699.tif 000003
【図３】
0003855699.tif 000004
【図４】
0003855699.tif 000005
【図５】
0003855699.tif 000006